(57)【要約】【課題】プリンタや複写機などの印刷用紙が多量の湿気を吸収してしまう様な状況下であっても、印刷用紙が多量の湿気を吸収してしまわないような印刷用紙の吸湿器を提供すること。【解決手段】底面板１０と、天面板２０との間に天面板２０を支持するためのパイプ３０１とポール３０２を設置し、前記パイプ３０１とポール３０２とによって確保された空間３０ｓに吸湿材４０を設置した構成等の吸湿器１を、既存の給紙カセットの底部に設置することにより、プリンタや複写機などの印刷用紙９０の吸湿を行なう吸湿器１を提供する。【選択図】図１
0003163878.tif 000002
【実用新案登録請求の範囲】
【請求項１】
プリンタや複写機などの給紙カセット内部に設置する吸湿器であって、
底面に配置する底面板と、
当該底面板よりも上部に配置する天面板と、
前記底面板と前記天面板との間の空間に設置する天面板支持機構と、
前記底面板と前記天面板との間の空間に設置する吸湿材と、
からなる印刷用紙の吸湿器。
【請求項２】
前記底面板と前記吸湿材との間に有孔薄板及び有孔薄板位置を維持するための有孔薄板支持機構を設置した、請求項１の印刷用紙の吸湿器。
【請求項３】
前記天面板の上面と接する位置に、前記天面板よりも大きな第二天面板をさらに設置した、請求項１又は請求項２の印刷用紙の吸湿器。
【考案の詳細な説明】
【技術分野】
【０００１】
本願考案は、プリンタや複写機などの給紙カセット内部に設置する印刷用紙の吸湿器に関するものである。
【背景技術】
【０００２】
プリンタや複写機などで用紙に印刷をして出力する場合、手差しで１枚ずつ印刷用紙を補給するか、或いは、給紙カセットに一定量の印刷用紙を補給しておく。
【０００３】
後者の場合、補給された印刷用紙は給紙カセットの内部で保管されることが多く、外部環境の状況によっては印刷用紙が多量の湿気を吸収してしまうことがあった。
【０００４】
プリンタや複写機などの給紙カセット内部に補給された印刷用紙が多量の湿気を吸収してしまった場合、プリンタや複写機などの内部で用紙詰まりが発生しやすくなったり、或いは、印刷の写りが不鮮明になったりといった不具合が生じる。
【０００５】
印刷用紙が多量の湿気を吸収してしまった場合、印刷の際、紙詰まりが発生する確率が高くなることを防止するための考案も公表はされている（特開平９−１３６７２７号）。
【先行技術文献】
【特許文献】
【０００６】
【特許文献１】特開平９−１３６７２７号公報
【考案の概要】
【考案が解決しようとする課題】
【０００７】
上述のように、プリンタや複写機などの給紙カセット内部に補給された印刷用紙が多量の湿気を吸収してしまった場合、紙詰まりが発生しやすくなったり、或いは、印刷の写りが不鮮明になったりといった不具合が生じる。
【０００８】
特に日本国内の場合には、梅雨時期にプリンタや複写機などの給紙カセット内部に補給された印刷用紙が多量の湿気を吸収してしまうことが多いといわれている。
【０００９】
そこで、本願考案が解決しようとする課題は、梅雨時期などの様に、外部環境の状況によって印刷用紙が多量の湿気を吸収してしまう可能性が高い状況下であっても、プリンタや複写機などの給紙カセット内部に補給された印刷用紙が多量の湿気を吸収してしまわないような印刷用紙の吸湿器を提供することである。
【課題を解決するための手段】
【００１０】
本願考案は、上述の課題を解決するため、プリンタや複写機などの給紙カセット内部に設置する吸湿器であって、底面に配置する底面板と、当該底面板よりも上部に配置する天面板と、前記底面板と前記天面板との間の空間に設置する天面板支持機構と、前記底面板と前記天面板との間の空間に設置する吸湿材とからなる印刷用紙の吸湿器を提供する。
【００１１】
また、本願考案は、上述の課題を解決するため、プリンタや複写機などの給紙カセット内部に設置する吸湿器であって、底面に位置する底面板と、当該底面板よりも上部に位置する天面板と、前記底面板と前記天面板との間の空間に設置する天面板支持機構と、前記底面板と前記天面板との間の空間に設置する吸湿材とからなり、さらに前記底面板と前記吸湿材との間に有孔薄板及び有孔薄板位置を維持するための有孔薄板支持機構を設置した、印刷用紙の吸湿器を提供する。
【考案の効果】
【００１２】
本願考案の印刷用紙の吸湿器をプリンタや複写機などの給紙カセット内部に設置することにより、吸湿材の側面及び上面から吸湿するため、給紙カセット内部に補給された印刷用紙が多量の湿気を吸収することを防ぐ。その結果、給紙時に紙詰まりが発生し難くなり、印刷の写りが不鮮明になるといった不具合も解消される。
【００１３】
また、本願考案の印刷用紙の吸湿器をプリンタや複写機などの給紙カセット内部に設置することにより、吸湿材の側面、上面及び下面から吸湿するため、給紙カセット内部に補給された印刷用紙が多量の湿気を吸収することを防ぐ。その結果、給紙時に紙詰まりが発生し難くなり、印刷の写りが不鮮明になるといった不具合も解消される。
【００１４】
また、本願考案の印刷用紙の吸湿器をプリンタや複写機などの給紙カセット内部に設置することにより、吸湿器の天面板サイズと異なる大きな印刷用紙であっても第二天面板上に水平に載置することができる。
【図面の簡単な説明】
【００１５】
【図１】図１は、実施例１の吸湿器を示した図である。
【図２】図２は、実施例２の吸湿器を示した図である。
【図３】図３は、実施例３の吸湿器を示した図である。
【図４】図４は、実施例４（実施例２の変形例）の吸湿器を示した図である。
【図５】図５は、給紙カセット内部に吸湿器を装備したプリンタの全体図である。
【考案を実施するための形態】
【００１６】
給紙カセット内部に２５０枚〜５００枚程度の印刷用紙が補給可能なプリンタや複写機などに取付けて使用する。
【実施例１】
【００１７】
実施例１の印刷用紙の吸湿器の構成を図１に従い説明する。
【００１８】
吸湿器（１）は、底面に配置する底面板（１０）と、当該底面板（１０）よりも上部に配置する中央部付近に２個の円形孔（２０ｈ）を有するＢ５サイズの天面板（２０）と、前記底面板（１０）と前記天面板（２０）との間に設置する天面板支持機構（３０）を構成する６対のパイプ（３０１）及びポール（３０２）と、前記底面板（１０）と前記天面板（２０）との間の空間である吸湿材設置スペース（３０ｓ）に設置する吸湿材（４０）とで構成する。
【００１９】
なお、前記天面板（２０）の大きさは、Ｂ５サイズであるが、用途や状況に応じ他のサイズにも設計変更し得る。
【００２０】
なお、前記天面板上の孔（２０ｈ）の位置、形状及び個数は、当該天面板（２０）の中央付近に円形状で２個であるが、これに限定されず、前記天面板（２０）を開放する場合の指通し孔として機能すれば良い。
【００２１】
前記パイプ（３０１）の高さは、前記吸湿材（４０）の厚さ以上でかつ給紙カセットの高さ以下であれば良い。
【００２２】
なお、前記パイプ（３０１）の位置及び本数は、前記底面板（１０）の上面の長辺方向に３本で、かつ、短辺方向に２列で合計６本固着し、直立設置しているが、これに限定されず、前記天面板（２０）が前記吸湿材（４０）の吸湿動作を妨げることのない位置（例えば、吸湿材上部の全面を覆い隠す位置など）で維持できれば良い。
【００２３】
なお、前記パイプ（３０１）の形状は、前記ポール（３０２）が前記パイプ（３０１）内に収まる中空円柱形状であるが、これに限定されず、前記吸湿材（４０）の吸湿動作を妨げることのない位置（例えば、吸湿材上部の全面を覆い隠す位置など）で維持できれば良い。
【００２４】
前記ポール（３０２）の高さは、前記パイプ（３０１）内に収まれば良い。
【００２５】
なお、前記ポール（３０２）の位置及び本数は、前記天面板（２０）の下面の長辺方向に３本で、かつ、短辺方向に２列で合計６本固着し、逆立ち設置しているが、これに限定されず、前記パイプ（３０１）と対応する位置であれば良い。
【００２６】
なお、前記ポール（３０２）の形状は、前記パイプ（３０１）内に収まる円柱形状であるが、これに限定されず、前記吸湿材（４０）の吸湿動作を妨げることのない位置（例えば、吸湿材上部の全面を覆い隠す位置など）で維持できれば良い。
【００２７】
なお、前記天面板支持機構（３０）の構成は、前記パイプ（３０１）及び前記ポール（３０２）の組合せだけに限定されず、前記天面板（２０）が前記吸湿材（４０）の吸湿動作を妨げることのない位置（例えば、吸湿材上部の全面を覆い隠す位置など）で維持できれば良く、公知の技術に変更し又は公知の技術を追加し得る。
【００２８】
なお、前記吸湿材（４０）は、プリンタや複写機などの給紙カセット内部に補給された印刷用紙が多量の湿気を吸収することを防ぐことが可能な吸湿材であれば良く、形状、個数及び成分などは用途や状況に応じ設計変更し得る。
【００２９】
次に、印刷用紙の吸湿器の吸湿動作について図１及び図５に従い説明する。
【００３０】
プリンタや複写機などの給紙カセット内部に補給された印刷用紙（９０）は、外部環境の状況（梅雨時期、湿気の多い設置場所など）によって影響を受ける。例えば、梅雨時期には、プリンタや複写機などの給紙カセット内部に補給された印刷用紙（９０）は、自然に多量の湿気を吸収してしまう。
【００３１】
しかしながら、プリンタや複写機などの給紙カセット内部に吸湿器（１）を取付けているので、外部環境が湿気の多い状況下であっても、吸湿器（１）を構成する吸湿材（４０）の側面側及び上面側スペースを通じて印刷用紙（９０）に吸収され得る湿気及び吸収された湿気を前記吸湿材（４０）が吸収する。
【００３２】
印刷用紙（９０）に吸収され得る湿気及び吸収された湿気を前記吸湿材（４０）が吸収することにより、印刷用紙（９０）に含まれる湿気は低減する。従って、印刷用紙（９０）が多量の湿気を吸収したことを起因とする障害が低減する。
【００３３】
また、印刷用紙を給紙カセットに補給する場合の動作について図１及び図５に従い説明する。
【００３４】
Ｂ５サイズの印刷用紙（９０）を給紙カセットに補給する場合、Ｂ５サイズである前記天面板（２０）の上面にＢ５サイズの印刷用紙（９０）を載置するだけで良い。
【００３５】
なお、Ｂ４サイズの印刷用紙（９０）を給紙カセットに補給する場合、前記吸湿器（１）を２個並べて取付けることにより、当該並べた吸湿器（１）の天面板（２０）全体の大きさがＢ４サイズになるので、当該並べて取付けた吸湿器（１）の天面板（２０）の上面にＢ４サイズの印刷用紙（９０）を載置すれば良い。
【実施例２】
【００３６】
実施例２は、底面板と吸湿材との間にメッシュシート及び間隔材を設置した印刷用紙の吸湿器であり、その構成を図２に従い、実施例１との変更点のみを説明する。
【００３７】
吸湿器（１）は、底面に配置する底面板（１０）と、当該底面板（１０）よりも上部に配置する中央部付近に２個の円形孔（２０ｈ）を有するＢ５サイズの天面板（２０）と、前記底面板（１０）と前記天面板（２０）との間に設置する天面板支持機構（３０）を構成する６対のパイプ（３０１）及びポール（３０２）と、前記底面板（１０）と前記天面板（２０）との間の空間である吸湿材設置スペース（３０ｓ）に設置する吸湿材（４０）と、前記底面板（１０）と前記吸湿材（４０）との間に配置するメッシュシート（５０）及び当該メッシュシート位置を維持するための有孔薄板支持機構（６０）を構成する６個の間隔材（６０１）とで構成する。
【００３８】
なお、前記パイプ（３０１）の位置及び本数は、前記天面板（２０）の下面の長辺方向に３本で、かつ、短辺方向に２列で合計６本固着し、逆立ち設置しているが、これに限定されず、前記天面板（２０）が前記吸湿材（４０）の吸湿動作を妨げることのない位置（例えば、吸湿材上部の全面を覆い隠す位置など）で維持できれば良い。
【００３９】
なお、前記ポール（３０２）の位置及び本数は、前記底面板（１０）の上面の長辺方向に３本で、かつ、短辺方向に２列で合計６本固着し、直立設置しているが、これに限定されず、前記パイプ（３０１）と対応する位置であれば良い。
【００４０】
なお、前記間隔材（６０１）の高さは、前記天面板支持機構（３０）を構成する前記パイプ（３０１）の高さ未満であれば良い。
【００４１】
なお、前記間隔材（６０１）の位置及び個数は、前記底面板（１０）の上面の長辺方向に３個で、かつ、短辺方向に２列で合計６個装備しているが、これに限定されず、前記底面板（１０）が前記吸湿材（４０）の吸湿動作を妨げることのない位置（例えば、吸湿材下部の全面を覆い隠す位置など）で維持できれば良い。
【００４２】
なお、前記間隔材（６０１）の形状は、前記パイプ（３０１）を中空部に収める中空円柱形状であるが、これに限定されず、前記底面板（１０）が前記吸湿材（４０）の吸湿動作を妨げることのない位置（例えば、吸湿材下部の全面を覆い隠す位置など）で維持できれば良い。
【００４３】
なお、前記有孔薄板支持機構（６０）の構成は、６個の間隔材（６０１）に限定されず、前記底面板（１０）が前記吸湿材（４０）の吸湿動作を妨げることのない位置（例えば、吸湿材下部の全面を覆い隠す位置など）で維持できれば良く、公知の技術に変更し又は公知の技術を追加し得る。例えば、紐状体（図示せず）を前記各パイプ（３０１）に巻きつけながら前記各パイプ間を結合し、当該紐状体の上面に前記メッシュシート（５０）を載置して維持するなどである。
【００４４】
なお、前記メッシュシート（５０）は、湿気を通気するシートであれば良く、様々な素材及び形状を選択し得る。
【００４５】
次に、印刷用紙の吸湿器の吸湿動作について図２及び図５に従い説明する。
【００４６】
プリンタや複写機などの給紙カセット内部に補給された印刷用紙（９０）は、外部環境の状況（梅雨時期、湿気の多い設置場所など）によって影響を受ける。例えば、梅雨時期には、プリンタや複写機などの給紙カセット内部に補給された印刷用紙（９０）は、自然に多量の湿気を吸収してしまう。
【００４７】
しかしながら、プリンタや複写機などの給紙カセット内部に吸湿器（１）を取付けているので、外部環境が湿気の多い状況下であっても、吸湿器（１）を構成する吸湿材（４０）の側面側、上面側及び下面側スペース（６０ｓ）を通じて印刷用紙（９０）に吸収され得る湿気及び吸収された湿気を前記吸湿材（４０）が吸収する。
【００４８】
印刷用紙（９０）に吸収され得る湿気及び吸収された湿気を前記吸湿材（４０）が吸収することにより、印刷用紙（９０）に含まれる湿気は低減する。従って、印刷用紙（９０）が多量の湿気を吸収したことを起因とする障害が低減する。
【００４９】
また、印刷用紙を給紙カセットに補給する場合の動作については、実施例１と同様であるので、省略する。
【実施例３】
【００５０】
実施例３は、天面板の上面と接する位置に、天面板よりも大きな第二天面板をさらに設置した印刷用紙の吸湿器であり、その構成を図３に従い、実施例１との変更点のみを説明する。
【００５１】
吸湿器（１）は、底面に配置する底面板（１０）と、当該底面板（１０）よりも上部に配置する中央部付近に２個の円形孔（２０ｈ）を有するＢ５サイズの天面板（２０）と、前記底面板（１０）と前記天面板（２０）との間に設置する天面板支持機構（３０）を構成する６対のパイプ（３０１）及びポール（３０２）と、前記底面板（１０）と前記天面板（２０）との間の空間である吸湿材設置スペース（３０ｓ）に設置する吸湿材（４０）と、前記天面板（２０）の上面と接する位置に取付けるＡ４サイズの第二天面板（２１）と、前記第二天面板（２１）を前記天面板（２０）に固定させるための短辺ガイド（２２）及び長辺ガイド（２３）とで構成する。
【００５２】
なお、前記第二天面板（２１）の大きさは、Ｂ５サイズである前記天面板（２０）に対応して、Ａ４サイズとしているが、用途や状況に応じ他のサイズにも設計変更し得る。
【００５３】
なお、前記短辺ガイド（２２）の形状は、前記第二天面板（２１）の下面位置から前記天面板（２０）の側面を経由して底面に至るＬ字形状又は逆Ｌ字形状であるが、これに限定されず、前記第二天面板（２１）が前記天面板（２０）に取付け及び取外し可能であれば良く、公知の技術に変更し又は公知の技術を追加し得る。
【００５４】
なお、前記短辺ガイド（２２）の位置及び個数は、前記第二天面板（２１）の下面端部位置に２個設置しているが、これに限られず、前記第二天面板（２１）が前記天面板（２０）に安定維持出来れば良い。
【００５５】
なお、前記長辺ガイド（２３）の形状は、前記第二天面板（２１）の下面位置から前記天面板（２０）の側面を経由して底面に至るＬ字形状又は逆Ｌ字形状であるが、これに限定されず、前記第二天面板（２１）が前記天面板（２０）に取付け及び取外し可能であれば良く、公知の技術に変更し又は公知の技術を追加し得る。
【００５６】
なお、前記長辺ガイド（２３）の位置及び個数は、前記第二天面板（２１）の下面中央端部位置に１個設置しているが、これに限られず、前記第二天面板（２１）が前記天面板（２０）に安定維持出来れば良い。
【００５７】
次に、Ａ４サイズの印刷用紙を給紙カセットに補給する場合の動作について図３及び図５に従い、説明する。
【００５８】
Ａ４サイズの印刷用紙（９０）を給紙カセットに補給する場合、Ａ４サイズである第二天面板（２１）の上面にＡ４サイズの印刷用紙（９０）を載置するだけで良い。
【００５９】
また、印刷用紙の吸湿器の吸湿動作については実施例１及び実施例２と同様であるので、省略する。
【実施例４】
【００６０】
実施例４は、実施例２の変形例であり、天面板と吸湿材との間にもメッシュシートを設置した印刷用紙の吸湿器である。その構成を図４に従い、実施例２との変更点のみを説明する。
【００６１】
吸湿器（１）は、底面に配置する底面板（１０）と、当該底面板（１０）よりも上部に配置する中央部付近に２個の円形孔（２０ｈ）を有するＢ５サイズの天面板（２０）と、前記底面板（１０）と前記天面板（２０）との間に設置する天面板支持機構（３０）を構成する６対のパイプ（３０１）及びポール（３０２）と、前記底面板（１０）と前記天面板（２０）との間の空間である吸湿材設置スペース（３０ｓ）に設置する２つの吸湿材（４０）と、前記底面板（１０）と前記吸湿材（４０）との間に配置するメッシュシート（５０）及び当該メッシュシート位置を維持するための有孔薄板支持機構（６０）を構成する６個の間隔材（６０１）と、
前記天面板（２０）と前記吸湿材（４０）との間に配置する第二メッシュシート（７０）及び当該第二メッシュシート位置を維持するための第二有孔薄板位置維持機構（８０）を構成する１本の紐状体（８０１）とで構成する。
【００６２】
なお、前記第二メッシュシート（７０）は、湿気を通気するシートであれば良く、様々な素材及び形状を選択し得る。
【００６３】
なお、前記第二有孔薄板位置維持機構（８０）の構成は、１本の紐状体（８０１）に限定されず、前記天面板（２０）が前記吸湿材（４０）の吸湿動作を妨げることのない位置（例えば、吸湿材上部の全面を覆い隠す位置など）で維持できれば良く、公知の技術に変更し又は公知の技術を追加し得る。
【００６４】
印刷用紙の吸湿器の吸湿動作については、実施例１、実施例２及び実施例３と同様であり、印刷用紙を給紙カセットに補給する場合の動作については、実施例１及び実施例２と同様であるので省略する。
【産業上の利用可能性】
【００６５】
本願考案の印刷用紙の吸湿器は、既存のプリンタや複写機などでも利用可能で、さらに簡単な構造でありながら保守性及び利便性が飛躍的に向上するので産業上の利用可能性を有する。
【符号の説明】
【００６６】
１        吸湿器
１０      底面板
２０      天面板
２０ｈ    指通し孔
２１      第二天面板
２２      短辺ガイド
２３      長辺ガイド
３０      天面板支持機構
３０１    パイプ
３０２    ポール
３０ｓ    吸湿材設置スペース
４０      吸湿材
５０      メッシュシート（有孔薄板）
６０      有孔薄板支持機構
６０１    間隔材（スペーサー）
６０ｓ    吸湿材下面側スペース
７０      第二メッシュシート（第二有孔薄板）
８０      第二有孔薄板位置維持機構
８０１    紐状体（スペーサー）
９０      印刷用紙
【図１】
0003163878.tif 000003
【図２】
0003163878.tif 000004
【図３】
0003163878.tif 000005
【図４】
0003163878.tif 000006
【図５】
0003163878.tif 000007